(57)【要約】      （修正有）【課題】行事等の予定日程とそれに必要な物品の管理を一元的に管理できるカレンダー部を備えた紙袋カレンダーを提供する。【解決手段】上端が開口した紙袋からなる紙袋カレンダー１００であって、紙袋１の第１主面３及び／又は第２主面６の上方に穴、又は紙からなる手提げ紐２を設けるとともに、紙袋の第１主面及び／又は第２主面に日、曜日等の日付情報を表示したカレンダー部４を備える。紙袋の形状を角底袋、平袋、又は船底袋とするのが好ましい。【選択図】図１
0003204053.tif 000002
【実用新案登録請求の範囲】
【請求項１】
上端が開口した紙袋からなる紙袋カレンダーであって、前記紙袋の第１主面及び／又は第２主面の上部に穴、又は紙からなる手提げ紐を設けるとともに、前記紙袋の第１主面及び／又は第２主面に日、曜日等の日付情報を表示したカレンダー部を備えた紙袋カレンダー。
【請求項２】
前記紙袋が、角底袋の形状を有していることを特徴とする請求項１に記載の紙袋カレンダー。
【請求項３】
前記紙袋が、平袋の形状を有していることを特徴とする請求項１に記載の紙袋カレンダー。
【請求項４】
前記紙袋が、船底袋の形状を有していることを特徴とする請求項１に記載の紙袋カレンダー。
【考案の詳細な説明】
【技術分野】
【０００１】
本考案は、紙袋の表面に日、曜日等の日付情報を表示した紙袋カレンダーに関するものである。
【背景技術】
【０００２】
カレンダーは日常生活に欠かせないものであり、１ヶ月又は２ヶ月単位で日、曜日等の日付情報が表示されているものを壁等に吊るして用いることが多い。また、カレンダーの日付が表示されている部分の近くに当該日付に予定されている行事や約束等を書き込むことがよく行われている。
【０００３】
しかし、当該日付に予定された行事等に必要な書類や物品は別の場所に保管しておく必要があり、二重に管理しなければならず実用上不十分であるという問題があった。例えば、運転免許の更新がその月に予定されていれば、写真や案内はがき等の必要な物品を別の封筒等に保管し、その表面に「免許更新」などと記入して管理しておく必要がある。
【０００４】
特許文献１には、袋状に形成されたカレンダーに関して記載されている。
【先行技術文献】
【特許文献】
【０００５】
特許文献１：特開平８−２０７９５６号公報
【考案の概要】
【考案が解決しようとする課題】
【０００６】
しかしながら、特許文献１に記載のものは、年月が経ってカレンダーとして用いなくなった後にごみ袋として再利用するものであり、カレンダーとして、壁に吊るしているときに物品を収納できるものではない。
【０００７】
本考案は上記問題点を解決して、行事等の予定日程とそれに必要な物品の管理を一元的に管理できるようにすることを課題とする。
【課題を解決するための手段】
【０００８】
上記課題を解決するために本考案は、上端が開口した紙袋からなる紙袋カレンダーであって、前記紙袋の第１主面及び／又は第２主面の上部に穴、又は紙からなる手提げ紐を設けるとともに、前記紙袋の第１主面及び／又は第２主面に日、曜日等の日付情報を表示したカレンダー部を備えた紙袋カレンダーを提供するものである。
【０００９】
これにより、行事等の予定日程とそれに必要な物品の管理を一元的に管理できる。
【００１０】
前記紙袋が、角底袋の形状を有しているようにしてもよい。
【００１１】
これにより、収納容積を大きくでき、多くの物品を紙袋カレンダーに収納することができる。
【００１２】
前記紙袋が、平袋の形状を有しているようにしてもよい。
【００１３】
これにより、壁に吊るしたときに厚みが薄く邪魔にならないようにすることができる。
【００１４】
さらに、前記紙袋が、船底袋の形状を有しているようにしてもよい。
【００１５】
これにより、厚みが薄くなるとともに収納する物品が多い場合にも対応することができる。
【考案の効果】
【００１６】
行事等の予定日程とそれに必要な物品の管理を一元的に管理できる紙袋カレンダーを実現することができる。
【図面の簡単な説明】
【００１７】
【図１】本考案の実施例１における角底袋の形状を有する紙袋カレンダーを説明する図である。
【図２】本考案の実施例２における平袋の形状を有する紙袋カレンダーを説明する図である。
【図３】本考案の実施例３における船底袋の形状を有する紙袋カレンダーを説明する図である。
【考案を実施するための形態】
【００１８】
上部に穴又は紙からなる手提げ紐を備えた紙袋の表面に日、曜日等に日付情報を表示した紙袋カレンダーの内部に当該月に必要な物品を収納できるように構成した。
【実施例１】
【００１９】
図１は、本考案の実施例１における角底袋の形状を有する紙袋カレンダー１００を説明する図である。紙袋１は、紙からなり、好ましくは、製袋原紙から採寸した紙であり、少々雨に濡れても破れにくくなっている。また、紙袋１は、略直方体形状で上方の一端が開口し、底面が長方形をなした角底体の形状を有している。紙袋１のサイズは、９００ｍｍ×１２００ｍｍの製袋原紙から３個の紙袋を製作するのに好適なサイズである幅３２０ｍｍ×マチ１１０ｍｍ×高さ２６０ｍｍである。このように実施例１における紙袋１の底面は、長方形を有していることにより多くの物品を収納することができる。
【００２０】
なお、実施例１における角底袋の底面を長方形としたが、必ずしもこれに限定されず、正方形でもよい。また、紙袋１のサイズを幅３２０ｍｍ×マチ１１０ｍｍ×高さ２６０ｍｍとしたが、必ずしもこれに限定されるものではなく、後述するように表面に日、曜日等の日付情報が表示できるサイズであればよい。
【００２１】
紙袋１の上端には開口部５を有し、その開口部５から書類や写真やハンコ等の物品を投入し紙袋１に収納することができる。また、紙袋１の表面（第１主面３）には、当月の日、曜日等の日付情報が印刷により表示されたカレンダー部４を備えている。紙袋１の開口部５近傍における第１主面３の上部及び第２主面６の上部には、紙からなる手提げ紐２を取り付けている。
【００２２】
なお、実施例１においては、第１主面３にカレンダー部４を備えるようにしたが、これに加えて第２主面６に翌月の日、曜日等の日付情報を表示したカレンダー部を備えてもよい。第１主面３に当月分のカレンダー部、第２主面６に翌月分のカレンダー部を備えることによって、紙袋１を２ヶ月に亘って使用することができコストを抑えるとともに廃棄量を少なくして環境に優しい紙袋カレンダーとすることができる。また、第２主面６にのみ日、曜日等の日付情報を表示するようにしてもよい。
【００２３】
また、紙袋１及び紙からなる手提げ紐２を共に紙製とすることで、廃棄時に分別する必要もなく一括廃棄することができて手間が省ける。
【００２４】
カレンダー部４における日、曜日等の日付情報の表示は、印刷により表示しているが、必ずしもこれに限定されるものではなく、適切な表示方法を選択することができる。例えば、型押しによって、日、曜日等の日付情報を凹部又は凸部として表示してもよいし、別の紙に印刷したカレンダーを紙袋１に貼付けてもよい。
【００２５】
なお、図１においてはカレンダー部４の枠を示すために線を表示しているが、この枠線はなくてもよい。
【００２６】
紙袋カレンダー１００は、日常、壁等に設けた釘やフックに紙からなる手提げ紐２をひっかけることにより吊るして、当月分のカレンダーとして用いる。そして、当該月に行事等が予定されている場合は、その行事に必要な書類、写真、又はハンコ等の物品を順次準備ができた時点で開口部５から紙袋１内に投入し収納しておく。また、カレンダー部４の該当日にペン等で印を付けたり、メモ書きしておいてもよい。
【００２７】
行事等の予定日には、紙袋カレンダー１００を壁等から外して、そのまま手提げ紐２を手でつかんで外出することができる。又は、紙袋１内に収納された物品を取り出して別のバッグに詰め替えて外出してもよい。
【００２８】
なお、実施例１において、手提げ紐２を紙袋１に設けて壁等に吊るすようにしたが、そのまま手提げ紐２を手でつかんで外出しない等の事情があれば、手提げ紐２に替えて、穴を紙袋１の第１主面３及び第２主面６の上部に設けて、壁等の釘やフックに引っ掛けて吊るすようにしてもよい。
【００２９】
なお、実施例１においては、製袋原紙からなる紙で紙袋カレンダーを製作するようにしたが、必ずしもこれに限定されず、材料とする紙は適宜選択することができる。例えば、ボール紙等の厚い紙で製作し形状がくずれにくいように構成してもよい。
【００３０】
このように、本考案の実施例１における紙袋カレンダーは、壁等に吊るしてカレンダーとして用いるとともに、紙袋内に必要な物品を順次収納することにより、行事等の予定日程とそれに必要な物品の管理を一元的に管理できる。
【実施例２】
【００３１】
実施例２における紙袋カレンダーについて、図２を参照しながら説明する。図２は、本考案の実施例２における平袋の形状を有する紙袋カレンダーを説明する図である。
【００３２】
実施例２における紙袋カレンダー１１０は、実施例１における紙袋カレンダー１００に対して、底を備えていない平袋の形状を有している点で異なっているのみである。すなわち、紙袋１１の第１主面１３の底辺と第２主面１６の底辺とが同一辺を構成している。その表面（第１主面１３）には、実施例１と同様のカレンダー部４を備え、第１主面１３及び第２主面１６の上部には、紙からなる手提げ紐２を備えている。そして、上方には開口部１５を有し、ここから必要な物品を中に投入し収納することができる。
【００３３】
実施例２における紙袋カレンダー１１０は底を有さないため、薄型に構成でき、壁等に吊るしたときに人がぶつかる危険性を少なくすることができる。
【００３４】
そして、実施例２における紙袋カレンダーにおいても、壁等に吊るしてカレンダーとして用いるとともに、紙袋内に必要な物品を順次収納することにより、行事等の予定日程とそれに必要な物品の管理を一元的に管理できる。
【００３５】
なお、実施例２において、第１主面１３及び第２主面１６の上部に手提げ紐２を取付けるように構成しているが、必ずしもこれに限定されない。手提げ紐２に替えて、第１主面１３及び第２主面１６の上部に穴を設けて、壁等の釘やフックに引っ掛けて吊るすようにしてもよい。
【実施例３】
【００３６】
実施例３における紙袋カレンダーについて、図３を参照しながら説明する。図３は、本考案の実施例３における船底袋の形状を有する紙袋カレンダーを説明する図である。
【００３７】
実施例３における紙袋カレンダー１２０は、実施例１における紙袋カレンダー１００に対して、船底袋の形状を有している点で異なっているのみである。すなわち、紙袋２１の底面は長方形に２つの三角形を組み合わせたような船形をしており、比較的薄型に構成できるとともに、実施例２における平袋の形状に対して多くの物品を収納できるように構成されている。その表面（第１主面２３）には、実施例１と同様のカレンダー部４を備え、第１主面２３及び第２主面２６の上方には、紙からなる手提げ紐２を備えている。そして、上方の一端には開口部２５を有し、ここから必要な物品を中に投入し収納することができる。
【００３８】
実施例３における紙袋カレンダー１２０の底面は船形を有しているため、比較的薄型であるとともに、多くの物品を収納できるように構成されている。
【００３９】
そして、実施例３における紙袋カレンダーにおいても、壁等に吊るしてカレンダーとして用いるとともに、紙袋内に必要な物品を順次収納することにより、行事等の予定日程とそれに必要な物品の管理を一元的に管理できる。
【００４０】
なお、実施例３において、手提げ紐２を紙袋２１に設けて壁等に吊るすようにしたが、手提げ紐２に替えて、穴を紙袋２１の第１主面２３及び第２主面２６の上部に設けて、壁等の釘やフックに引っ掛けて吊るすようにしてもよい。
【００４１】
以上、説明したように、上端が開口した紙袋からなる紙袋カレンダーであって、前記紙袋の第１主面及び／又は第２主面の上部に穴、又は紙からなる手提げ紐を設けるとともに、前記紙袋の第１主面及び／又は第２主面に日、曜日等の日付情報を表示したカレンダー部を備えた紙袋カレンダーにより、行事等の予定日程とそれに必要な物品の管理を一元的に管理できる。
【産業上の利用可能性】
【００４２】
本考案の紙袋カレンダーは、物品を収納できるカレンダーとして広く利用することができる。
【符号の説明】
【００４３】
１：紙袋    ２：手提げ紐    ３：第１主面    ４：カレンダー部
５：開口部    ６：第２主面    
１１：紙袋    １３：第１主面    １５：開口部    １６：第２主面    
２１：紙袋    ２３：第１主面    ２５：開口部    ２６：第２主面    
１００：紙袋カレンダー    
１１０：紙袋カレンダー    
１２０：紙袋カレンダー
【図１】
0003204053.tif 000003
【図２】
0003204053.tif 000004
【図３】
0003204053.tif 000005